(57)【特許請求の範囲】
【請求項１】
取付杆に前後へスライド可能に連結した樋支持具本体と、この樋支持具本体を取付杆に圧接固定させる回転ロックレバーを備えた雨樋支持具において、
上記回転ロックレバーは、上記取付杆の前方両側から下方に向けて形成した一対の支持片部に貫通する移動シャフトと枢着し、上記樋支持具本体の側面で回転して圧接固定させる構造とし、
上記支持片部の一方に窓孔を開設し、上記樋支持具本体の片側表面には鋸刃状に形成した鋸刃部を設けると共に、これに噛合う爪部を上記移動シャフトの一端に設け、上記回転ロックレバーの回転によって、上記爪部が支持片部の窓孔を通じて、上記樋支持具本体の片側表面に噛合させるようにしたことを特徴とする雨樋支持具。
【請求項２】
取付杆に前後へスライド可能に連結した樋支持具本体と、この樋支持具本体を取付杆に圧接固定させる回転ロックレバーを備えた雨樋支持具において、
上記回転ロックレバーは、上記取付杆の前方両側から下方に向けて形成した一対の支持片部に貫通する移動シャフトと枢着し、上記樋支持具本体の側面で回転して圧接固定させる構造とし、
上記支持片部の一方に窓孔を開設し、上記樋支持具本体の両側表面には鋸刃状に形成した鋸刃部を設けると共に、この鋸刃部の一側に噛合う爪部を上記移動シャフトの一端に設け、且つ、上記支持片部の他方に爪片部を形成して成り、上記回転ロックレバーの回転によって、上記爪部及び爪片部が樋支持具本体の両側表面に噛合させるようにしたことを特徴する雨樋支持具。
【請求項３】
請求項１または２において、
上記回転ロックレバーの移動シャフトは、縦断面略Ｌ型に形成している雨樋支持具。
【請求項４】
請求項１または２において、
上記回転ロックレバーの移動シャフトは、縦断面略Ｔ型に形成している雨樋支持具。
【発明の詳細な説明】
【０００１】
【発明の属する技術分野】
本発明は、建造物等の軒先付近に取付けられる雨樋支持具に関し、詳しくは、軒先等に固定される取付杆とスライド可能に連結した樋支持具本体を、回転ロックレバーで所望の位置に圧接固定できる雨樋支持具に関する。
【０００２】
【従来の技術】
図７は、従来の雨樋支持具（縱回転型）を示す側断面図である。
【０００３】
この雨樋支持具１００は、取付杆１０１とスライド可能に連結した樋支持具本体１０２と、雨樋支持具１００の上方に上記樋支持具本体１０２と取付杆１０１を圧接固定させるための縱方向に回転する回転ロックレバー１０３を備えている。
【０００４】
また、上記取付杆１０１の前方には、軸孔１１１を開設し、樋支持具本体１０２には、この軸孔１１１に重合する長孔１１２を長手方向に開設している。
【０００５】
また、上記長孔１１２を貫通しない受座１０４を下端に設け、この受座１０４に下端を固着した軸１０５を、下方から上記樋支持具本体１０２の長孔１１２及び取付杆１０１の軸孔１１１に貫通し、この軸１０５の上端には、上記縱方向に回転する回転ロックレバー１０３の一端を枢着している。
【０００６】
そして、図７に示すように、上記回転ロックレバー１０３を縱方向に回転すると、この回転ロックレバー１０３の回転基板１０３ａの円弧部分が、上記取付杆１０１の上面で縱方向に回転することによって、上記軸１０５が引上げ又は引き下げされる。
【０００７】
そのため、上記回転ロックレバー１０３を一方に回転し、上記軸１０５を引き下げておけば、取付杆１０１と樋支持具本体１０２は、圧接することなく、上記長孔１１２の範囲でスライド可能となる。
【０００８】
そして、樋支持具本体１０２の長さを調整した後、上記回転ロックレバー１０３を他方に向けて縱回転すると、上記軸１０５が引上げられると共に、軸１０５下端の受座１０４も引上げられる。
【０００９】
この受座１０４は、長孔１１２を貫通しないので、上記樋支持具本体１０２に接合してこれを上方に持ち上げる。
【００１０】
したがって、樋支持具本体１０２は、取付杆１０１に圧接固定され、そのスライドを規制できる。
【００１１】
図８は、従来の雨樋支持具（水平回転型）を示す側断面図である。
【００１２】
この雨樋支持具２００は、取付杆２０１とスライド可能に連結した樋支持具本体２０２と、雨樋支持具２００の下方に上記樋支持具本体２０２と取付杆２０１を圧接固定させるための受座２０４を介在させた水平方向に回転する回転ロックレバー２０３を備えている。
【００１３】
上記取付杆２０１の前方には、軸孔２１１を開設し、樋支持具本体２０２には、この軸孔２１１に重合する長孔２１２を長手方向に開設している。
【００１４】
また、この樋支持具本体２０２の下面は、鋸刃状に形成している。
【００１５】
上記受座２０４は、上記樋支持具本体２０２の下面に噛合う爪片部２１４を、上面に形成すると共に、受座２０４の下面には膨出部２２４を形成し、上記長孔２１２に重合する軸孔を設けている。
【００１６】
回転ロックレバー２０３には、これを水平方向に回転可能な軸２０５の下端を枢着し、この軸２０５を、下方から上記受座２０４の軸孔、樋支持具本体２０２の長孔２１２及び取付杆２０１の軸孔２１１に貫通させて上端を固着している。
【００１７】
そして、図８に示すように、上記回転ロックレバー２０３を水平方向に回転すると、この回転ロックレバー２０３は、上記受座２０４の膨出部２２４に乗り上げ、この受座２０４を押し上げる。
【００１８】
そのため、上記受座２０４の爪片部２１４が、樋支持具本体２０２の下面に噛合する。
【００１９】
したがって、樋支持具本体２０２は、取付杆２０１に圧接固定され、そのスライドを規制できる。
【００２０】
【発明が解決しようとする課題】
従来の回転ロックレバー１０３、２０３は、雨樋支持具１００、２００の上方又は下方に設けられていた。
【００２１】
ところが、雨樋支持具１００、２００を設置する場所は様々であり、施工現場においては、上記回転ロックレバー１０３、２０３を雨樋支持具１００、２００の側方で回転させることが望まれる場合もあったが、そのような構造の回転ロックレバーは従来には無かった。
【００２２】
本発明は、かかる課題を解決することを目的とするもので、雨樋支持具の側方から操作できる回転ロックレバーを備えた雨樋支持具を提供する。
【００２３】
【課題を解決するための手段】
上記目的を達成するため、
請求項１に係る雨樋支持具は、取付杆に前後へスライド可能に連結した樋支持具本体と、この樋支持具本体を取付杆に圧接固定させる回転ロックレバーを備えた雨樋支持具において、上記回転ロックレバーは、上記取付杆の前方両側から下方に向けて形成した一対の支持片部に貫通する移動シャフトと枢着し、上記樋支持具本体の側面で回転して圧接固定させる構造とし、上記支持片部の一方に窓孔を開設し、上記樋支持具本体の片側表面には鋸刃状に形成した鋸刃部を設けると共に、これに噛合う爪部を上記移動シャフトの一端に設け、上記回転ロックレバーの回転によって、上記爪部が支持片部の窓孔を通じて、上記樋支持具本体の片側表面に噛合させるようにしたことを特徴とする。
【００２４】
請求項１では、雨樋支持具の側面で回転して樋支持具本体を取付杆に圧接固定できる構造にした回転ロックレバーを設けているので、従来無かった雨樋支持具の側方から回転ロックレバーを操作できる。
【００２５】
（削除）
【００２６】
又、請求項１では、爪部を上記移動シャフトの一端に設け、この爪部を樋支持具本体の片側表面に噛合させる構造にして、確実に圧接固定できる。
【００２７】
（削除）
【００２８】
（削除）
【００２９】
請求項２に係る雨樋支持具は、取付杆に前後へスライド可能に連結した樋支持具本体と、この樋支持具本体を取付杆に圧接固定させる回転ロックレバーを備えた雨樋支持具において、上記回転ロックレバーは、上記取付杆の前方両側から下方に向けて形成した一対の支持片部に貫通する移動シャフトと枢着し、上記樋支持具本体の側面で回転して圧接固定させる構造とし、上記支持片部の一方に窓孔を開設し、上記樋支持具本体の両側表面には鋸刃状に形成した鋸刃部を設けると共に、この鋸刃部の一側に噛合う爪部を上記移動シャフトの一端に設け、且つ、上記支持片部の他方に爪片部を形成して成り、上記回転ロックレバーの回転によって、上記爪部及び爪片部が樋支持具本体の両側表面に噛合させるようにしたことを特徴する。
【００３０】
請求項２では、爪部を上記移動シャフトの一端に設け、この爪部を樋支持具本体の片側表面に噛合させ、且つ、爪片部を上記支持片部の他方に形成し、この爪片部を樋支持具本体の片側表面に噛合させる構造にして、より確実に圧接固定できる。
【００３１】
請求項３に係る雨樋支持具は、請求項１または２において、上記回転ロックレバーの移動シャフトは、縦断面略Ｌ型に形成している。
【００３２】
請求項４に係る雨樋支持具は、請求項１または２において、上記回転ロックレバーの移動シャフトは、縦断面略Ｔ型に形成している。
【００３３】
請求項３、４では、移動シャフトの具体的形状を特定し、簡易な構造としている。
【００３４】
【発明の実施の形態】
以下、本発明に係る雨樋支持具を図面に基づき説明する。
図１は、本発明に係る雨樋支持具の一実施例を示す斜視図、図２は、本発明に係る雨樋支持具の一実施例を示す分解斜視図である。
図中１は取付杆、２は樋支持具本体、３は回転ロックレバー、４は移動シャフトを各々示しており、以下、各部材について詳説する。
取付杆１は、建造物の軒先等に固定される取付足板１１の上端中央から前方に向けて足杆１２を延設し、この足杆１２の前方は、段落ち形成した連結片部１３を形成している。
【００３５】
この連結片部１３は、両側を下方に折り曲げて支持片部１４，１４を一体成形している。
【００３６】
また、取付杆１とは別部材の帯板を断面コ字状に成形し、これを取付杆１の取付足板１１に溶接、ビス止めなどで固着して上記支持片部１４，１４を、連結片部１３の両側に設けることもできる。
【００３７】
このように形成した上記一対の支持片部１４，１４の一方には、窓孔１４ａを開設している。
【００３８】
樋支持具本体２は、上記取付杆１とスライド可能な角棒状のスライド板本体２１の前後端に、図示のような樋Ｔを吊下げ支持するための前樋掛止部２２及び後樋掛止部２３を各々形成している。
この前樋掛け部２２及び後樋掛け部２３は、図例のものに限定されず、従来から使用される種々のタイプのものが採用できる。
【００３９】
また、上記スライド板本体２１の片側表面には、長手方向に鋸刃状に形成した鋸刃部２１ａを設けている。
【００４０】
ここでは、上記樋支持具本体２を全て硬質の樹脂で成形しているが、ステンレスなどの金属板で成形した板状のスライド板本体２１の両側下端縁を鋸刃状に形成することも可能である。
【００４１】
ロックレバー３は、ステンレスなどの金属板を側方に開放した断面コ字状に折曲成形し、その一対の両側片は、水平方向に回転操作させるレバー部３１の基端に円弧部３２ａを有する回転基板３２を形成している。
【００４２】
この回転基板３２には、対向位置に軸孔３２ｂ，３２ｂを開設しており、この軸孔３２ｂ中心から上記円弧部３２ａまでの距離は、円弧部３２ａの一端から他端にかけて徐々に長くなるように形成している。
また、ロックレバー３の円弧部３２ａは、上記一対の支持片部１４，１４の他方の外面に内接する程度に形成している。
【００４３】
図中４は、上記取付杆１の前方両側から下方に向けて形成した一対の支持片部１４，１４に貫通する移動シャフトである。
【００４４】
この移動シャフト４は、先端に軸孔４１を開設し、上記回転ロックレバー３の軸孔３２ｂ，３２ｂとピン３３で枢着している。
【００４５】
また、移動シャフト４の基端には、上記支持片部１４，１４の一方に開設された窓孔１４ａを貫通しない板状の係止片４２を設け、その全体を縦断面略Ｌ型に形成している。
【００４６】
この移動シャフト４の係止片４２には、上記樋支持具本体２の片側表面に形成した鋸刃部２１ａに噛合う爪部４２ａを形成している。
【００４７】
図で示した移動シャフト４は、上記支持片部１４の一方に設けた窓孔１４ａに、係止片４２が貫通せず、且つその爪部４２ａだけが上記樋支持具本体２の鋸刃部２１ａに噛合うように形成している。
【００４８】
但し、上記移動シャフト４の形状は、これに限定されるものでなく、全体を縦断面略Ｔ型に形成することもできる。
【００４９】
要するに、移動シャフト４は、上記取付杆１の一対の支持片部１４，１４を貫通し、その先端には上記ロックレバー３を回転可能に枢着しており、基端には一方の支持片部１４に開設した窓孔１４ａと係止できるものであれば採用できる。
【００５０】
なお、上記爪部４２ａは、少なくとも１以上設けていれば足りる。
【００５１】
図中５は、上記樋支持具本体２を支持する支持具であり、この支持具５としては、一対の支持片部１４，１４の下端近傍に、複数の軸体を架設したものや、板体を架設したものなどが考えられる。
【００５２】
もっとも、上記移動シャフト４は、図で示すように樋支持具本体２の下側に貫通しているので、この移動シャフト４が樋支持具本体２を支持する支持具５としての効果も兼ね備えるため、上記支持具５が無くても構わない。
【００５３】
このような雨樋支持具Ａによれば、その側方から回転ロックレバー３を操作することが可能となり、また、上記移動シャフト４の一端に設けた爪部４２ａが、樋支持具本体２の片側表面に形成した鋸刃部２１ａと噛合させる構造にして、確実に圧接固定できる。
【００５４】
図３は、本発明に係る雨樋支持具の参考例を示す斜視図である。
【００５５】
ここで、図１、２と共通する部位には、同じ符号を付して説明する。
【００５６】
この雨樋支持具Ａは、上記支持片部１４，１４の一方に窓孔１４ａを開設すると共に、他方に内側へ切起こした爪片部１４ｂ、１４ｂを形成し、上記樋支持具本体２の片側表面には鋸刃状に形成した鋸刃部２１ａを設け、上記回転ロックレバー３の回転によって、上記爪片部１４ｂ，１４ｂが樋支持具本体２の鋸刃部２１ａに噛合して圧接固定させる構造としている。
【００５７】
このような雨樋支持具Ａによれば、爪片部１４ｂ，１４ｂを上記支持片部１４，１４の他方に形成し、この爪片部１４ｂ，１４ｂを樋支持具本体２の片側表面に形成した鋸刃部２１ａと噛合させる構造にして、確実に圧接固定できる。
【００５８】
図４は、本発明に係る雨樋支持具の他の実施例を示す斜視図である。
【００５９】
ここで、図１、２、３と共通する部位には、同じ符号を付して説明する。
【００６０】
この雨樋支持具Ａは、上記支持片部１４，１４の一方に窓孔１４ａを開設し、上記樋支持具本体２の両側表面には鋸刃状に形成した鋸刃部２１ａ，２１ａを設けると共に、この鋸刃部２１ａ，２１ａの一側に噛合う爪部１４ａを上記移動シャフト４の一端に設け、且つ、上記支持片部１４，１４の他方に爪片部１４ｂを形成して成り、上記回転ロックレバー３の回転によって、上記爪部１４ａ及び爪片部１４ｂが樋支持具本体２の両側表面に各々噛合して圧接固定させる構造としている。
【００６１】
このような雨樋支持具Ａによれば、爪部１４ａ及び爪片部１４ｂが樋支持具本体２の両側表面に形成した鋸刃部１４ａ，１４ａに各々噛合する構造であるので、より確実に圧接固定できる。
【００６２】
図５は、回転ロックレバーの他の実施例を示す斜視図である。
【００６３】
ここで、図４と共通する部位には、同じ符号を付して説明する。
【００６４】
この回転ロックレバー３は、図１〜４で示したものが、縱方向に回転するのに対し、これを水平方向に回転する構造にしている。
【００６５】
具体的には、移動シャフト４の基端は、上記一対の支持片部１４，１４の一方を貫通すると共に、さらに上方に折曲成形した係止片４２を設け、全体を縦断面略Ｌ型に形成している。
【００６６】
そのため、上記移動シャフト４先端の軸孔４１は、上下に貫通するので、この軸孔４１に上記回転ロックレバー３をピン３３で枢着すれば、その回転方向を水平方向にできる。
【００６７】
同様にして、図１〜３で示した雨樋支持具Ａについても、その回転ロックレバー３の回転を水平方向にすることは可能である。
【００６８】
図６は、本発明に係る雨樋支持具の動作説明図である。
【００６９】
図６（ａ）は、回転ロックレバーのアンロック位置での部分正面図、図６（ｂ）は、樋支持具本体のスライド調節を示す部分説明図、図６（ｃ）は、回転ロックレバーのロック位置での部分正面図である。
【００７０】
本発明の動作を述べれば、移動シャフト４で相互にスライド可能に結合された取付杆１と樋支持具本体２とは、回転ロックレバー３を縱方向にアンロック位置からロック位置へと回転操作すると、ロックレバー３の回転基板３２は、その円弧部３２ａが支持片部１４の外側面に当接して、上記移動シャフト４を巾方向に引張るため、その基端に設けた爪部４２ａが、支持片部１４の窓孔１４ａを通じて樋支持具本体２の側面に形成した鋸刃部２１ａに食い込み、その位置で樋支持具本体２を取付杆１に圧接固定し、樋支持具本体２をスライド不能に固定する「図６（ｃ）参照」。
【００７１】
一方、ロックレバー３を縦方向にロック位置からアンロック位置へと回転操作すると、ロックレバー３による移動シャフト４の引張りが解除される。そのため、移動シャフト４の爪部４２ａによる樋支持具本体２の鋸刃部１４ａへの食い込みも解除され、樋支持具本体２は、取付杆１と再びスライド可能になる「図６（ａ）参照」。
【００７２】
したがって、この状態で取付杆１に対する樋支持具本体２の位置が調整できるのである「図６（ｂ）参照」。
【００７３】
以下、本発明に係る雨樋支持具Ａの施工要領を詳説すれば、上記取付杆１を軒先等にネジ、釘等で固定する。
【００７４】
次に、雨樋支持具Ａの下方から上記ロックレバー３を縱方向に回転してアンロック状態にする「図６（ａ）参照」。
【００７５】
このアンロック状態では、上記樋支持具本体２は、図６（ａ），（ｂ）に示すように上記爪部４２ａが樋支持具本体２の鋸刃部２１ａに食い込んでいないので、樋支持具本体２を前後へ自由にスライドすることができ、所望の位置に、この樋支持具本体２を位置づける「図６（ｂ）参照」。
【００７６】
なお、上記樋支持具本体２の鋸刃部２１ａに、スライド位置の目安となる数字（不図示）などを刻設しておけば、他の雨樋支持具Ａの樋支持具本体（不図示）も簡単且つ確実に、この樋支持具本体２と同位置へ位置づけることができる。
【００７７】
そして、上記樋支持具本体２を所望の位置に位置づけた後、雨樋支持具Ａの側方から上記ロックレバー３を縱方向に回転すると、このロックレバー３の回転基板３２の円弧部３２ａが、支持片部１４の外側面に当接して、上記移動シャフト４を巾方向に引張るためその基端に設けた爪部４２ａが、支持片部１４の窓孔１４ａを通じて樋支持具本体２の鋸刃部２１ａに食い込み、その位置で樋支持具本体２を取付杆１に圧接固定し、樋支持具本体２をスライド不能に固定する「図６（ｃ）参照」。
【００７８】
このように位置決めして圧接固定された上記樋支持具本体２に、樋Ｔの前後端を、その前樋掛止部２２及び後樋掛止部２３へと順次掛止して、雨樋支持具Ａの施工を終了する。
【００７９】
【発明の効果】
本発明によれば、次のような効果がある。
【００８０】
請求項１に係る雨樋支持具によれば、雨樋支持具の側面で回転して樋支持具本体を取付杆に圧接固定できる構造にした回転ロックレバーを設けているので、従来無かった雨樋支持具の側方から回転ロックレバーを操作することができる。
【００８１】
さらに、請求項１に係る雨樋支持具によれば、取付杆の前方両側から下設された一対の支持片部に架設した軸部と軸支することで、上記ロックレバーの縱回転を行なうことができる。
【００８２】
（削除）
【００８３】
請求項２に係る雨樋支持具によれば、爪部を上記移動シャフトの一端に設け、この爪部を樋支持具本体の片側表面に噛合させ、且つ、爪片部を上記支持片部の他方に形成し、この爪片部を樋支持具本体の片側表面に噛合させる構造にして、より確実に圧接固定できる。
【００８４】
請求項３、４に係る雨樋支持具によれば、移動シャフトの具体的形状を特定し、簡易な構造としている。
【図面の簡単な説明】
【図１】本発明に係る雨樋支持具の一実施例を示す斜視図
【図２】本発明に係る雨樋支持具の一実施例を示す分解斜視図
【図３】本発明に係る雨樋支持具の参考例を示す斜視図
【図４】本発明に係る雨樋支持具の他の実施例を示す斜視図
【図５】回転ロックレバーの他の実施例を示す斜視図
【図６】（ａ）は、回転ロックレバーのアンロック位置での部分正面図、（ｂ）は、樋支持具本体のスライド調節を示す部分説明図、（ｃ）は、回転ロックレバーのロック位置での部分正面図
【図７】従来の雨樋支持具（縱回転型）を示す側断面図
【図８】従来の雨樋支持具（水平回転型）を示す側断面図
【符号の説明】
Ａ      雨樋支持具
Ｔ      樋
１      取付杆
１４    支持片部
１４ａ  窓孔
１４ｂ  爪片部
２      樋支持具本体
２１ａ  鋸刃部
３      回転ロックレバー
４      移動シャフト
４２ａ  爪部
５      支持具
【図１】
0004431236.tif 000002
【図２】
0004431236.tif 000003
【図３】
0004431236.tif 000004
【図４】
0004431236.tif 000005
【図５】
0004431236.tif 000006
【図６】
0004431236.tif 000007
【図７】
0004431236.tif 000008
【図８】
0004431236.tif 000009